(57)【要約】【課題】表裏両面に表示画面を備える場合に、ユーザによる携帯型画像表示装置の取り扱い方に応じた態様で、表示画面に画像を表示することのできる携帯型画像表示装置を提供する。【解決手段】平板状の筐体の表面に設けられた第１表示画面と、当該筐体の第１表示画面とは反対側の面に設けられた第２表示画面と、を備え、第１表示画面がユーザに向けられる第１状態、及び第２表示画面がユーザに向けられる第２状態をそれぞれ特定し、第１状態及び第２状態の一方から他方への遷移が生じる際の筐体の姿勢変化の態様に応じて、ユーザに向けられる表示画面に表示する画像を変化させる携帯型画像表示装置である。【選択図】図１
2010026064.tif 000002
【特許請求の範囲】
【請求項１】
平板状の筐体の表面に設けられた第１表示画面と、
前記筐体の前記第１表示画面とは反対側の面に設けられた第２表示画面と、
前記第１表示画面がユーザに向けられる第１状態、及び前記第２表示画面がユーザに向けられる第２状態をそれぞれ特定する状態特定手段と、
前記第１状態及び前記第２状態の一方から他方への遷移が生じる際の前記筐体の姿勢変化の態様に応じて、ユーザに向けられる表示画面に表示する画像を変化させる表示画像制御手段と、
を含むことを特徴とする携帯型画像表示装置。
【請求項２】
請求項１記載の携帯型画像表示装置において、
前記表示画像制御手段は、前記姿勢変化の態様に応じて、前記遷移後の状態においてユーザに向けられる表示画面に表示する画像の前記筐体に対する向きを変化させる
ことを特徴とする携帯型画像表示装置。
【請求項３】
請求項２記載の携帯型画像表示装置において、
前記表示画像制御手段は、前記筐体が回転して前記遷移が生じる際の、当該回転の回転軸の前記筐体に対する向きに応じて、当該遷移後の状態においてユーザに向けられる表示画面に表示する画像の前記筐体に対する向きを変化させる
ことを特徴とする携帯型画像表示装置。
【請求項４】
請求項１から３のいずれか一項記載の携帯型画像表示装置において、
前記表示画像制御手段は、前記姿勢変化の態様に応じて、前記遷移前の状態においてユーザに向けられる表示画面に表示する画像を、当該遷移が生じる際に変化させる
ことを特徴とする携帯型画像表示装置。
【請求項５】
請求項１から４のいずれか一項記載の携帯型画像表示装置において、
前記筐体は、略矩形の平板状であって、
前記筐体の側面には、それぞれユーザの指が触れた位置を検知する複数のタッチセンサが設けられている
ことを特徴とする携帯型画像表示装置。
【請求項６】
平板状の筐体の表面に設けられた第１表示画面と、
前記筐体の前記第１表示画面とは反対側の面に設けられた第２表示画面と、
を備える携帯型画像表示装置の制御方法であって、
前記第１表示画面がユーザに向けられる第１状態、及び前記第２表示画面がユーザに向けられる第２状態をそれぞれ特定するステップと、
前記第１状態及び前記第２状態の一方から他方への遷移が生じる際の前記筐体の姿勢変化の態様に応じて、ユーザに向けられる表示画面に表示する画像を変化させるステップと、
を含むことを特徴とする携帯型画像表示装置の制御方法。
【請求項７】
平板状の筐体の表面に設けられた第１表示画面と、
前記筐体の前記第１表示画面とは反対側の面に設けられた第２表示画面と、
を備える携帯型画像表示装置としてコンピュータを機能させるためのプログラムであって、
前記第１表示画面がユーザに向けられる第１状態、及び前記第２表示画面がユーザに向けられる第２状態をそれぞれ特定する状態特定手段、及び
前記第１状態及び前記第２状態の一方から他方への遷移が生じる際の前記筐体の姿勢変化の態様に応じて、ユーザに向けられる表示画面に表示する画像を変化させる表示画像制御手段、
として前記コンピュータを機能させるためのプログラム。
【請求項８】
請求項７記載のプログラムを格納したコンピュータ読み取り可能な情報記憶媒体。
【発明の詳細な説明】
【技術分野】
【０００１】
本発明は、ユーザが携帯して使用する携帯型画像表示装置、その制御方法、プログラム及び情報記憶媒体に関する。
【背景技術】
【０００２】
近年、携帯型ゲーム機、携帯電話、携帯情報端末（ＰＤＡ）など、ユーザが携帯して使用でき、ユーザに各種の情報を提示する表示画面を備えた各種の画像表示装置が登場している（例えば特許文献１参照）。このような携帯型画像表示装置は、ユーザの操作入力に応じて各種の情報処理を実行して、その結果を表示画面に表示する。
【特許文献１】米国特許出願公開第２００７／０２０２９５６号明細書
【発明の開示】
【発明が解決しようとする課題】
【０００３】
上述したような携帯型画像表示装置において、多様な方法でユーザに情報を提示できるようにするため、本願発明者らは、携帯型画像表示装置の表裏両面に表示画面を設けることを検討している。この場合、ユーザが携帯型画像表示装置を手で持って、両方の表示画面を閲覧する際には、様々な取り扱い方をすることが予想される。そのため、このようなユーザによる携帯型画像表示装置の取り扱い方を考慮して、表示画面に画像を表示する必要がある。
【０００４】
本発明は上記実情に鑑みてなされたものであって、その目的の一つは、表裏両面に表示画面を備える場合に、ユーザによる携帯型画像表示装置の取り扱い方に応じた態様で、表示画面に画像を表示することのできる携帯型画像表示装置、その制御方法、プログラム及び情報記憶媒体を提供することにある。
【課題を解決するための手段】
【０００５】
上記課題を解決するための本発明に係る携帯型画像表示装置は、平板状の筐体の表面に設けられた第１表示画面と、前記筐体の前記第１表示画面とは反対側の面に設けられた第２表示画面と、前記第１表示画面がユーザに向けられる第１状態、及び前記第２表示画面がユーザに向けられる第２状態をそれぞれ特定する状態特定手段と、前記第１状態及び前記第２状態の一方から他方への遷移が生じる際の前記筐体の姿勢変化の態様に応じて、ユーザに向けられる表示画面に表示する画像を変化させる表示画像制御手段と、を含むことを特徴とする。
【０００６】
また、上記携帯型画像表示装置において、前記表示画像制御手段は、前記姿勢変化の態様に応じて、前記遷移後の状態においてユーザに向けられる表示画面に表示する画像の前記筐体に対する向きを変化させることとしてもよい。
【０００７】
さらに、上記携帯型画像表示装置において、前記表示画像制御手段は、前記筐体が回転して前記遷移が生じる際の、当該回転の回転軸の前記筐体に対する向きに応じて、当該遷移後の状態においてユーザに向けられる表示画面に表示する画像の前記筐体に対する向きを変化させることとしてもよい。
【０００８】
また、上記携帯型画像表示装置において、前記表示画像制御手段は、前記姿勢変化の態様に応じて、前記遷移前の状態においてユーザに向けられる表示画面に表示する画像を、当該遷移が生じる際に変化させることとしてもよい。
【０００９】
また、上記携帯型画像表示装置において、前記筐体は、略矩形の平板状であって、前記筐体の側面には、それぞれユーザの指が触れた位置を検知する複数のタッチセンサが設けられていることとしてもよい。
【００１０】
また、本発明に係る携帯型画像表示装置の制御方法は、平板状の筐体の表面に設けられた第１表示画面と、前記筐体の前記第１表示画面とは反対側の面に設けられた第２表示画面と、を備える携帯型画像表示装置の制御方法であって、前記第１表示画面がユーザに向けられる第１状態、及び前記第２表示画面がユーザに向けられる第２状態をそれぞれ特定するステップと、前記第１状態及び前記第２状態の一方から他方への遷移が生じる際の前記筐体の姿勢変化の態様に応じて、ユーザに向けられる表示画面に表示する画像を変化させるステップと、を含むことを特徴とする。
【００１１】
また、本発明に係るプログラムは、平板状の筐体の表面に設けられた第１表示画面と、前記筐体の前記第１表示画面とは反対側の面に設けられた第２表示画面と、を備える携帯型画像表示装置としてコンピュータを機能させるためのプログラムであって、前記第１表示画面がユーザに向けられる第１状態、及び前記第２表示画面がユーザに向けられる第２状態をそれぞれ特定する状態特定手段、及び前記第１状態及び前記第２状態の一方から他方への遷移が生じる際の前記筐体の姿勢変化の態様に応じて、ユーザに向けられる表示画面に表示する画像を変化させる表示画像制御手段、として前記コンピュータを機能させるためのプログラムである。このプログラムは、コンピュータ読み取り可能な情報記憶媒体に格納されてよい。
【発明を実施するための最良の形態】
【００１２】
以下、本発明の実施の形態について、図面に基づき詳細に説明する。
【００１３】
図１（ａ）及び図１（ｂ）は、本発明の一実施形態に係る携帯型画像表示装置１の外観を示す斜視図であって、図１（ａ）は携帯型画像表示装置１を表面（正面）側から見た様子を、図１（ｂ）は同じ携帯型画像表示装置１を裏面側から見た様子を、それぞれ示している。
【００１４】
これらの図に示されるように、携帯型画像表示装置１の筐体１０は、全体として略矩形の平板状の形状をしており、その表面に第１表示画面１２ａが、裏面に第２表示画面１２ｂが、それぞれ設けられている。これらの表示画面は、いずれも略矩形の形状をしており、筐体１０の表面又は裏面の大部分を占めるように配置されている。第１表示画面１２ａ及び第２表示画面１２ｂは、例えば液晶表示パネルや有機ＥＬ表示パネル等、画像の表示が可能な各種のデバイスであってよい。また、これらの表示画面に対して、ユーザの指などが触れた位置を検知可能なタッチパネルが重ねて配置されることとしてもよい。
【００１５】
さらに、本実施形態に係る携帯型画像表示装置１では、表示画面の外周を構成する４辺のそれぞれに沿って、４つのタッチセンサが設けられている。これらのタッチセンサは筐体１０の四方の側面それぞれに配置されており、それぞれ直線状の検知領域を備えている。このように筐体１０の側面に配置されることで、各タッチセンサは、筐体１０の表面に配置された第１表示画面１２ａの外周の一辺、及び裏面に配置された第２表示画面１２ｂの外周の一辺、の双方に沿って配置されることとなる。
【００１６】
具体的に、本実施形態では、第１表示画面１２ａ及び第２表示画面１２ｂの長辺方向（左右方向）に沿った側面に、第１タッチセンサ１４ａ及び第３タッチセンサ１４ｃが、第１表示画面１２ａ及び第２表示画面１２ｂの短辺方向（上下方向）に沿った側面に、第２タッチセンサ１４ｂ及び第４タッチセンサ１４ｄが、それぞれ配置されている。
【００１７】
これらのタッチセンサは、携帯型画像表示装置１を使用するユーザの指が触れた位置を検知するために用いられる。各タッチセンサは、例えば静電容量式や感圧式、光学式など各種の方式のものであってよい。また、各タッチセンサは、ユーザの指が触れた位置だけでなく、例えば指の接触面積や圧力などを検知することによって、ユーザの指がタッチセンサを押さえる強さを検知することとしてもよい。これらのタッチセンサがユーザの指の位置を検知することによって、携帯型画像表示装置１は、第１表示画面１２ａや第２表示画面１２ｂの外周に沿った方向のユーザの指の位置を、操作入力として受け付けることができる。
【００１８】
また、筐体１０表面には、第１表示画面１２ａに隣接して第１遠赤外線センサ１６ａが設けられている。さらに、筐体１０裏面には、第２表示画面１２ｂに隣接して第２遠赤外線センサ１６ｂが設けられている。これらの遠赤外線センサは、熱源から放射される遠赤外線を検知する。これによって、携帯型画像表示装置１は、各遠赤外線センサの前方にユーザがいるか否かを検知することができる。なお、携帯型画像表示装置１は、遠赤外線センサに代えて、またはこれに加えて、例えばＣＣＤカメラなど、ユーザの位置を検知可能な各種のデバイスを備えることとしてもよい。
【００１９】
また、携帯型画像表示装置１の筐体１０の内部には、加速度センサ１８及びジャイロセンサ２０が配置されている。加速度センサ１８は３軸加速度センサであって、筐体１０に対して設定された３つの基準軸（Ｘ軸、Ｙ軸及びＺ軸）それぞれの方向に生じる加速度を検知する。ここで、３つの基準軸は互いに略直交しており、Ｘ軸は筐体１０表面の矩形の長辺方向、Ｙ軸は矩形の短辺方向、Ｚ軸は筐体１０の厚さ方向にそれぞれ設定されているものとする。重力によって各基準軸に生じる加速度を加速度センサ１８が検知することによって、携帯型画像表示装置１は、自分自身の姿勢（すなわち、重力が働く鉛直方向に対する筐体１０の傾き）を検知することができる。
【００２０】
ジャイロセンサ２０は、ジャイロ基準軸（ここではＺ軸）を中心とした回転の角速度を検知し、当該検知した角速度に応じた電気信号を出力する。例えばジャイロセンサ２０は圧電振動型ジャイロなどであってよい。ジャイロセンサ２０によって検知される角速度を積分することで、携帯型画像表示装置１はＺ軸を基準とした筐体１０の回転角を算出することができる。
【００２１】
なお、図１には示されていないが、携帯型画像表示装置１は、タッチセンサ以外にも、例えばボタンやスイッチなど、ユーザの操作入力を受け付けるための各種の操作部材を筐体１０の表面や裏面、側面などに備えることとしてもよい。
【００２２】
図２は、携帯型画像表示装置１の内部構成を示す構成ブロック図である。同図に示されるように、携帯型画像表示装置１は、制御部３０と、記憶部３２と、画像処理部３４と、を含んで構成されている。制御部３０は、例えばＣＰＵ等であって、記憶部３２に格納されているプログラムに従って、各種の情報処理を実行する。記憶部３２は、例えばＲＡＭやＲＯＭ等のメモリ素子や、ディスクデバイスなどであって、制御部３０によって実行されるプログラムや各種のデータを格納する。また、記憶部３２は、制御部３０のワークメモリとしても機能する。
【００２３】
画像処理部３４は、例えばＧＰＵとフレームバッファメモリとを含んで構成され、制御部３０が出力する指示に従って、第１表示画面１２ａ及び第２表示画面１２ｂのそれぞれに表示する画像を描画する。具体例として、画像処理部３４は第１表示画面１２ａ及び第２表示画面１２ｂのそれぞれに対応した２つのフレームバッファメモリを備え、ＧＰＵは、制御部３０からの指示に従って、所定時間おきにこれら２つのフレームバッファメモリのそれぞれに対して画像を書き込む。そして、これらのフレームバッファメモリに書き込まれた画像が、所定のタイミングでビデオ信号に変換されて、それぞれ対応する表示画面に表示される。
【００２４】
本実施形態では、制御部３０は、タッチセンサ１４ａ〜１４ｄ、遠赤外線センサ１６ａ及び１６ｂ、加速度センサ１８、並びにジャイロセンサ２０のそれぞれによる検知結果などに基づいて、各種の処理を実行し、その結果を第１表示画面１２ａ又は第２表示画面１２ｂに表示する。例えば制御部３０は、複数のプログラムを実行し、これらのプログラムそれぞれによって生成される２種類の画像を、第１表示画面１２ａ及び第２表示画面１２ｂに表示してもよい。あるいは、一つのプログラムによって生成される主画像と副画像とを、第１表示画面１２ａ及び第２表示画面１２ｂに表示してもよい。ユーザは、場合によって携帯型画像表示装置１の筐体１０を反転させることによって、あるときは第１表示画面１２ａを閲覧し、また別のときには第２表示画面１２ｂを閲覧しながら携帯型画像表示装置１を使用する。
【００２５】
以下、本実施形態において、制御部３０が実行する処理の具体例について、説明する。本実施形態では、制御部３０は、第１表示画面１２ａがユーザに向けられる状態（以下、第１状態という）及び第２表示画面１２ｂがユーザに向けられる状態（以下、第２状態という）のそれぞれを特定する。そして、この２つの状態間の遷移が生じる際の筐体１０の姿勢変化の態様に応じて、ユーザに向けられる表示画面に表示する画像を変化させる処理を実行する。このような処理を実行するため、携帯型画像表示装置１は、機能的に、図３に示すように、状態特定部４０と、表示画像制御処理部４２と、を含んでいる。また、本実施形態では、表示画像制御処理部４２は、機能的に、姿勢変化特定部４２ａと、画像方向変更部４２ｂと、を含んでいる。これらの機能は、制御部３０が記憶部３２に格納されたプログラムを実行することにより実現される。このプログラムは、例えば光ディスクやメモリカード等のコンピュータ読み取り可能な各種の情報記憶媒体に格納されて提供されてもよいし、インターネット等の通信ネットワークを介して提供されてもよい。
【００２６】
状態特定部４０は、各センサによる検知結果などに基づいて、第１状態、及び第２状態をそれぞれ特定する。具体例として、状態特定部４０は、第１遠赤外線センサ１６ａ及び第２遠赤外線センサ１６ｂの検知結果に応じて、第１状態及び第２状態を特定する。すなわち、第１遠赤外線センサ１６ａがユーザの存在を検知している場合には、当該第１遠赤外線センサ１６ａと同じ筐体１０の面に配置された第１表示画面１２ａがユーザに向けられる第１状態にあると判定し、第２遠赤外線センサ１６ｂがユーザの存在を検知している場合には、第２表示画面１２ｂがユーザに向けられる第２状態にあると判定する。
【００２７】
表示画像制御処理部４２は、状態特定部４０によって特定される状態の遷移が生じる際の筐体１０の姿勢変化の態様に応じて、第１表示画面１２ａ及び／又は第２表示画面１２ｂに表示する画像を変化させる制御を行う。
【００２８】
具体的に、まず姿勢変化特定部４２ａは、第１状態及び第２状態の一方から他方への遷移が生じる際の筐体１０の姿勢変化の態様を特定する。すなわち、一方の状態から他方の状態へと遷移する際の筐体１０の姿勢の変化の過程が、予め定められた第１のパターン及び第２のパターンのうち、どちらに該当するのかを特定する。
【００２９】
一例として、姿勢変化特定部４２ａは、筐体１０が回転して一方の状態から他方の状態への遷移が生じる際の、当該回転の回転軸の筐体１０に対する向きを特定する。例えばそれまで第１表示画面１２ａを閲覧していたユーザが、反対側の第２表示画面１２ｂを閲覧しようとした場合、ユーザは携帯型画像表示装置１の筐体１０をいずれかの向きに９０度以上回転させることになる。このとき、状態特定部４０は、第１状態から第２状態への状態の遷移が生じることを特定する。加速度センサ１８は、当該回転が行われる過程における筐体１０の姿勢を検知し、この検知結果に基づいて姿勢変化特定部４２ａは姿勢変化の過程が第１及び第２のパターンのいずれに該当するかを特定する。例えば姿勢変化特定部４２ａは、筐体１０の回転がＹ軸を回転軸とするものである場合には、第１のパターンに該当すると判定し、Ｘ軸を回転軸とする回転である場合には、第２のパターンに該当すると判定する。
【００３０】
図４（ａ）及び図４（ｂ）は、このような第１のパターン及び第２のパターンの姿勢変化の様子を示す図であり、どちらの図も、第１表示画面１２ａがユーザに向けられた状態（第１状態）から第２表示画面１２ｂがユーザに向けられた状態（第２状態）へと遷移する過程を示している。図４（ａ）は第１のパターンの例を示しており、Ｙ軸を中心として筐体１０が回転している。その結果、筐体１０が１８０度回転すると、筐体１０に対して設定されたＸ軸及びＺ軸の正負方向は反転するが、Ｙ軸の正負方向は変化しない。また、図４（ｂ）は第２のパターンの例を示しており、Ｘ軸を中心として筐体１０が回転している。その結果、筐体１０が１８０度回転すると、Ｙ軸及びＺ軸の正負方向は反転するが、Ｘ軸の正負方向は変化しない。
【００３１】
姿勢変化特定部４２ａは、このような姿勢変化の違いを、状態遷移の過程において加速度センサ１８が検知する、Ｘ軸方向及びＹ軸方向のそれぞれに対する加速度の値に応じて判別することができる。すなわち、Ｙ軸を回転軸として筐体１０が回転する場合、回転の途中で、Ｘ軸方向については、その絶対値が重力加速度Ｇに近いか、またはそれ以上の加速度が検知される。一方で、Ｙ軸方向については、それほど大きな加速度は検知されない。逆に、Ｘ軸を回転軸として筐体１０が回転する場合、回転の途中で、Ｙ軸方向については比較的大きな加速度が検知され、Ｘ軸方向については比較的小さな加速度しか検知されない。そこで、例えば状態遷移の間においてＸ軸方向及びＹ軸方向のそれぞれについて検出される加速度の絶対値の最大値のうち、いずれか小さな方の軸を回転軸として判定することにより、筐体１０の姿勢変化の態様を特定できる。
【００３２】
なお、ユーザが筐体１０の姿勢を変化させる場合、必ずしも厳密にＸ軸又はＹ軸の一方の軸を中心として筐体１０を回転させるわけではない。だが、この場合にも、同様にＸ軸及びＹ軸それぞれの加速度の絶対値の最大値の大小を比較することによって、より最大値が小さな方の軸を回転軸とみなすこととしてもよい。
【００３３】
画像方向変更部４２ｂは、姿勢変化特定部４２ａによって特定された状態遷移の際の姿勢変化の態様に応じて、当該遷移後の状態においてユーザに向けられる表示画面に表示する画像の筐体１０に対する向きを変化させる。すなわち、状態特定部４０によって第１状態から第２状態への状態の遷移が特定される場合、画像方向変更部４２ｂは、第２状態への遷移後に第２表示画面１２ｂに表示する画像の向きを、姿勢変化特定部４２ａにより姿勢変化の過程が第１のパターンと判定されたか、あるいは第２のパターンと判定されたかに応じて、変化させる。
【００３４】
具体例として、第１表示画面１２ａに対して、ユーザから見てＹ軸正方向が上側になり、Ｘ軸正方向が右側になるような向きで画像が表示されていた場合、第２状態への遷移後も、ユーザは同じ向きのまま第２表示画面１２ｂに表示される画像を見ると推定される。そこで、画像方向変更部４２ｂは、第１のパターンにより状態遷移が行われた場合（すなわち、ユーザがＹ軸を回転軸として筐体１０を回転させた場合）には、第２表示画面１２ｂに対して、Ｙ軸正方向が上側になり、Ｘ軸負方向が右側になるような向きで画像を表示することとする。一方、第２のパターンにより状態遷移が行われた場合（すなわち、ユーザがＸ軸を回転軸として筐体１０を回転させた場合）には、第２表示画面１２ｂに対して、Ｙ軸負方向が上側になり、Ｘ軸正方向が右側になるような向きで画像を表示する。これは、第１のパターンのときと画像の向きを上下反転させることによって実現される。
【００３５】
図５は、このような状態間の遷移と、表示画像の向きとの間の関係を示す説明図である。なお、上述したような画像の向きの制御により、携帯型画像表示装置１は、第１状態及び第２状態のそれぞれにおいて、Ｙ軸正方向が上側になる向きと、Ｙ軸負方向が上側になる向きと、の２種類の向きで画像を表示させることがありうる。そこで、この図の例においては、第１状態で、かつＹ軸正方向がユーザから見て上側になる向きで画像を表示する状態を１ａ状態と表記している。また、Ｙ軸負方向がユーザから見て上側になる向きで画像を表示する状態を２ａ状態と表記している。さらに、第２状態においても同様に、Ｙ軸正方向がユーザから見て上側になる向きで画像を表示する状態を２ａ状態と、またＹ軸負方向が上側になる向きで画像を表示する状態を２ｂ状態と、それぞれ表記する。なお、図中における各表示画面内の破線の矢印は、画像方向変更部４２ｂにより、画像の上側がどちらになるように画像の向きが変更されるかを示している。
【００３６】
この図に示されるように、１ａ状態において第１のパターンの姿勢変化があった場合、携帯型画像表示装置１は２ａ状態に移行する。逆に第２のパターンの姿勢変化があった場合、２ｂ状態に移行する。また、１ｂ状態において第１のパターンの姿勢変化があった場合、携帯型画像表示装置１は２ｂ状態に移行し、第２のパターンの姿勢変化があった場合には、２ａ状態に移行する。さらに、同様に２ａ状態及び２ｂ状態のそれぞれの状態からも、第１のパターン又は第２のパターンの姿勢変化によって、１ａ状態又は１ｂ状態のいずれかに移行し、これに応じて画像方向変更部４２ｂは、第１表示画面１２ａに表示する画像の向きを変化させる。このように、状態遷移後にユーザに向けられる表示画面に表示する画像の向きは、状態遷移前においてユーザに向けられる表示画面に表示されていた画像の向きと、状態遷移の際の筐体１０の姿勢変化の態様と、に応じて決定される。このように表示画像の筐体１０に対する向きを変化させることによって、携帯型画像表示装置１は、どのように筐体１０の向きが変化しても、第１表示画面１２ａ及び第２表示画面１２ｂの双方においてユーザに対して同じ向きになるように画像を表示することができる。
【００３７】
なお、同図に示されるように、第１状態（又は第２状態）を保ったまま、Ｚ軸を回転軸として筐体１０を１８０度回転させる第３のパターンの姿勢変化があった場合にも、画像方向変更部４２ｂは、第１表示画面１２ａ（又は第２表示画面１２ｂ）に表示する画像の向きを、上下反転させることとしてもよい。このような姿勢変化は、ジャイロセンサ２０を用いて検知することができる。なお、この場合には、例えばユーザは携帯型画像表示装置１の使用開始時などのタイミングで、１ａ状態及び１ｂ状態のどちらの向きで画像を表示させるか選択することとする。このような選択がなされた後は、筐体１０の姿勢変化に応じて以上説明したような筐体１０に対する画像の向きを変化させる制御を実行することで、携帯型画像表示装置１は、ユーザから見て最初に選択された向きと同じ向きで画像を表示することができる。
【００３８】
これまでの説明では、状態遷移の際の姿勢変化の態様に応じて、状態遷移後においてユーザに向けられる表示画面に表示する画像の向きを変化させることとしている。しかし、表示画像制御処理部４２は、画像の向きに限らず、状態遷移の際の姿勢変化の態様に応じて、表示する画像の内容を変化させてもよい。また、状態遷移の際の姿勢変化の態様に応じて、遷移前の状態においてユーザに向けられる表示画面に表示する画像を、当該遷移が生じる際に変化させてもよい。以下では、状態遷移が生じる際に、表示画像制御処理部４２が、第１表示画面１２ａ及び第２表示画面１２ｂの双方に表示する画像を変化させるパターンの一例について、説明する。なお、ここでは第１状態から第２状態への遷移が生じる場合を例として説明するが、逆の場合にも同様の処理を行ってもよい。
【００３９】
この例では、表示画像制御処理部４２は、状態遷移が完了するより前に、加速度センサ１８の検知結果を用いて、筐体１０が回転を開始したことを特定する。そして、その回転が継続した場合に、前述した第１のパターン及び第２のパターンのどちらのパターンによる状態遷移が生じるかを予測する。具体的に、例えば表示画像制御処理部４２は、Ｘ軸方向に対する加速度センサ１８の出力の絶対値が所定値を超えた段階で、Ｙ軸を回転軸とした回転が生じており、第１のパターンの状態遷移が生じる可能性があると予測する。また、Ｙ軸方向に対する加速度センサ１８の出力の絶対値が所定値を超えた段階で、Ｘ軸を回転軸とした回転が生じており、第２のパターンの状態遷移が生じる可能性があると予測する。
【００４０】
表示画像制御処理部４２は、この予測結果に応じて、第１表示画面１２ａに表示する画像を、所定方向に向けてスクロールするよう変化させる。この場合のスクロール方向は、予測された姿勢変化の態様に応じて変化する。さらに、表示画像制御処理部４２は、回転軸の向きだけでなく、当該回転軸を中心とした回転の向きに応じて、表示画面に表示する画像を変化させてもよい。例えば表示画像制御処理部４２は、どちらの向きの回転が生じているかに応じて、画像のスクロール方向を変化させてもよい。
【００４１】
具体例として、図４（ａ）に示すように、Ｙ軸を回転軸としてＹ軸正方向に向かって見て反時計回りに筐体１０が回転する場合、Ｘ軸の負方向に重力による加速度が生じていることが検知される。そこで、表示画像制御処理部４２は、このＸ軸負方向に対する加速度が大きくなるにつれて、第１表示画面１２ａに表示している画像をＸ軸正方向にスクロールさせる。さらに、第２表示画面１２ｂに表示する画像も、画面外からＸ軸負方向（すなわち、第１表示画面１２ａに表示する画像のスクロール方向と逆方向）に徐々にスクロールさせて、最終的に第２状態へと遷移が完了し、Ｘ軸方向の加速度が所定値以下に戻った時点で画面中央を中心として画像が表示されるよう制御する。逆に、Ｙ軸を回転軸としてＹ軸正方向に向かって見て時計回りに筐体１０が回転する場合には、第１表示画面１２ａに表示する画像をＸ軸負方向にスクロールさせるとともに、第２表示画面１２ｂに表示する画像をＸ軸正方向にスクロールさせる。また、図４（ｂ）に示すように、Ｘ軸を回転軸としてＸ軸正方向に向かって見て反時計回りに筐体１０が回転する場合、この回転に伴って第１表示画面１２ａに表示する画像をＹ軸負方向に向けてスクロールさせるとともに、第２表示画面１２ｂに表示する画像をＹ軸正方向に向けてスクロールさせることにより、最終的に状態遷移完了後に第２表示画面１２ｂの画面中央に画像が表示されるよう制御する。逆に、Ｘ軸を回転軸としてＸ軸正方向に向かって見て時計回りに筐体１０が回転する場合、第１表示画面１２ａに表示する画像をＹ軸正方向に向けてスクロールさせるとともに、第２表示画面１２ｂに表示する画像をＹ軸負方向に向けてスクロールさせる。このような表示画像の変化によって、ユーザから見て、第１表示画面１２ａから第２表示画面１２ｂへと連続的に画像が移動しているかのような視覚効果が得られる。このような制御を行う場合も、前述した例と同様にして、第２表示画面１２ｂに表示する画像の向きは、筐体１０の回転軸の向きに応じて変化させてよい。
【００４２】
なお、状態遷移の際にこのような画像を変化させる処理を実行するか否かは、各表示画面に表示する画像の種類に応じて決定されてもよい。例えば第１表示画面１２ａ及び第２表示画面１２ｂのそれぞれに対して、同じプログラムによって生成される画像が表示される場合には、状態遷移の際に画像を変化させる制御を実行することとし、逆に各表示画面に対して互いに異なるプログラムによって生成される画像が表示される場合には、単に状態遷移後にユーザに向けられる表示画面に表示する画像の向きを、前述したように状態遷移の際の姿勢変化の態様に応じて変化させることとしてもよい。また、表示画像制御処理部４２は、各表示画面に表示する画像をスクロールさせるだけでなく、状態遷移に伴って各種の視覚効果を生じさせるよう画像を変化させてもよい。例えば表示画像制御処理部４２は、状態遷移前にユーザに向けられる表示画面に表示する画像を、状態遷移ととともに縮小させ、一方で状態遷移後にユーザに向けられる表示画面に表示する画像を、所定の大きさから開始して状態遷移とともに拡大させるような画像の表示制御を実行してもよい。
【００４３】
以上説明した本実施の形態によれば、ユーザに向けられる表示画面に表示される画像が、その状態に遷移する際の筐体１０の姿勢変化の態様に応じて変化する。これにより、ユーザの携帯型画像表示装置１の取り扱い方に応じた態様で、ユーザに対して画像を提示することができる。具体的に、例えば状態遷移後にユーザに向けられる表示画面に表示される画像の筐体１０に対する向きが、状態遷移時の筐体１０の姿勢変化の態様に応じて変化することによって、ユーザは、携帯型画像表示装置１の向きを異なる態様で変化させても、第１表示画面１２ａ及び第２表示画面１２ｂの双方に表示される画像を、同じ向きで閲覧することが可能となる。
【００４４】
なお、本発明の実施の形態は以上説明したものに限られない。例えば以上の説明においては、遠赤外線センサの検知結果を用いて第１状態及び第２状態を特定することとしたが、これに限らず、状態特定部４０は、その他のセンサによる検知結果などを用いてこれらの状態を特定してもよい。具体例として、状態特定部４０は、加速度センサ１８の検知結果に応じて、第１状態及び第２状態を特定してもよい。この場合、例えばユーザは上方から略鉛直方向に向けて表示画面を見ると想定する。すなわち、Ｚ軸負方向に重力加速度が生じていることを加速度センサ１８が検知する場合、Ｚ軸正方向に設けられた第１表示画面１２ａがユーザに向けられていると判定し、逆にＺ軸正方向に重力加速度が生じている場合には、Ｚ軸負方向に設けられた第２表示画面１２ｂがユーザに向けられていると判定する。これにより、遠赤外線センサ等のユーザを直接検知可能なデバイスがなくとも、第１状態及び第２状態を特定できる。
【００４５】
また、これまでの説明では、加速度センサ１８の出力だけにより姿勢変化の態様を特定する例について説明したが、例えば姿勢変化特定部４２ａは、ジャイロセンサ２０など、筐体１０の姿勢を検知可能なその他のデバイスが出力する検知結果を用いて、筐体１０の姿勢変化の態様を特定してもよい。この場合、単なる回転軸に対する回転だけでなく、さらに複雑な姿勢変化の過程を経て状態遷移が生じる場合にも、携帯型画像表示装置１はその姿勢変化の態様を特定することができる。
【図面の簡単な説明】
【００４６】
【図１】本発明の実施の形態に係る携帯型画像表示装置の外観を示す斜視図である。
【図２】本実施形態に係る携帯型画像表示装置の内部構成を示すブロック図である。
【図３】本実施形態に係る携帯型画像表示装置の機能例を示す機能ブロック図である。
【図４】状態遷移の際の姿勢変化の態様の一例を示す説明図である。
【図５】各状態間の遷移と、表示画像の向きとの間の関係を示す説明図である。
【符号の説明】
【００４７】
１  携帯型画像表示装置、１０  筐体、１２ａ  第１表示画面、１２ｂ  第２表示画面、１４ａ〜１４ｄ  タッチセンサ、１６ａ及び１６ｂ  遠赤外線センサ、１８  加速度センサ、２０  ジャイロセンサ、３０  制御部、３２  記憶部、３４  画像処理部、４０  状態特定部、４２  表示画像制御処理部、４２ａ  姿勢変化特定部、４２ｂ  画像方向変更部。
【図１】
2010026064.tif 000003
【図２】
2010026064.tif 000004
【図３】
2010026064.tif 000005
【図４】
2010026064.tif 000006
【図５】
2010026064.tif 000007